(57)【要約】【課題】  画像形成システムにおいて、携帯端末における設定操作の利便性を向上させる。【解決手段】  携帯端末１２０が画像形成装置１２１にジョブの処理を実行させる画像形成システム１００であって、画像形成装置１２１にジョブの処理を実行させる際に携帯端末１２０により用いられるべき設定情報を、携帯端末１１０に要求する要求手段と、前記要求手段による要求に応じて選択された設定情報を用いて携帯端末１１０がジョブの処理を実行させる画像形成装置１１１の性能情報と、携帯端末１１０がジョブの処理を実行させる画像形成装置１２１の性能情報と、を比較する比較手段と、前記比較手段による比較の結果に基づいて、前記選択された設定情報を変更する変更手段と、前記変更手段により変更された設定情報を、携帯端末１２０に送信する送信手段とを有することを特徴とする。【選択図】図３
2015109073.tif 000002
【特許請求の範囲】
【請求項１】
携帯端末と、画像形成装置とを含む画像形成システムであって、
前記携帯端末は、
前記画像形成装置に処理を実行させるために用いる設定情報を記憶する記憶手段と、
他の携帯端末から画像形成装置の識別情報と、前記記憶手段に記憶された設定情報の取得要求を受信する受信手段と、
前記受信手段で受信した画像形成装置の識別情報と、前記記憶手段に記憶された設定情報と、を前記画像形成装置に送信する第１の送信手段と、
を有し、
前記画像形成装置は、
前記携帯端末から送信される識別情報によって識別される他の画像形成装置の能力情報を取得する取得手段と、
前記取得手段で取得された他の画像形成装置の能力情報と、当該画像形成装置の能力との比較に基づいて、前記携帯端末から送信される設定情報を変更するかを判断する第１の判断手段と、
前記第１の判断手段で変更すると判断されたとき、前記他の画像形成装置の能力情報に基づいて前記設定情報を変更する変更手段と、
前記変更手段で変更された設定情報を、前記他の携帯端末に送信する第２の送信手段と、
を有することを特徴とする画像形成システム。
【請求項２】
請求項１に記載の画像形成システムであって、
前記画像形成装置は、前記第１の判断手段で変更すると判断されたとき、前記携帯端末に変更許否を確認する確認手段を有し、
前記変更手段は、前記確認手段で変更が許可されたとき、前記設定情報を変更することを特徴とする画像形成システム。
【請求項３】
請求項１または２に記載の画像形成システムであって、
更に、前記他の携帯端末の位置情報を受信し、受信した位置情報に基づいて、前記他の画像形成装置を特定するサーバ装置を有することを特徴とする画像形成システム。
【請求項４】
請求項３に記載の画像形成システムであって、
前記携帯端末は、当該携帯端末が接続される第１のネットワークに前記画像形成装置が接続されているかを判断する第２の判断手段を有し、
前記携帯端末が有する第１の送信手段は、前記画像形成装置が前記第１のネットワークに接続されていないとき、前記受信手段で受信した画像形成装置の識別情報と、前記記憶手段に記憶された設定情報と、を前記サーバ装置に送信し、
前記サーバ装置は、前記取得手段と、前記変更手段と、前記第２の送信手段と、を有することを特徴とする画像形成システム。
【請求項５】
請求項１乃至４のいずれか１項に記載の画像形成システムであって、
前記他の携帯端末は、前記第２の送信手段で送信された設定情報を用いて、前記他の画像形成装置に印刷指示を送信することを特徴とする画像形成システム。
【請求項６】
第１の携帯端末及び第２の携帯端末と、複数の画像形成装置を有するシステムであって、
前記第１の携帯端末は、
前記複数の画像形成装置のうち一の画像形成装置の識別情報と、前記第２の携帯端末に記憶された画像形成装置に処理を実行させるために用いる設定情報の取得要求とを、前記第２の携帯端末へ送信する第１の送信手段と、
前記第２の携帯端末は、
前記画像形成装置の識別情報と該画像形成装置に処理を実行させるための設定情報とを記憶する記憶手段と、
前記第１の携帯端末から、前記一の画像形成装置の識別情報と前記取得要求とを受信する受信手段と、
前記受信手段で受信した取得要求で要求される設定情報が、前記一の画像形成装置と対応付けて前記記憶手段に記憶されているかを判断する第１の判断手段と、
前記第１の判断手段で記憶されていないと判断されたとき、前記受信手段で受信した前記一の画像形成装置の識別情報と、前記取得要求で要求された前記記憶手段に記憶された設定情報と、を該設定情報と対応付けて識別情報が記憶されている他の画像形成装置に送信する第２の送信手段と、
を有し、前記他の画像形成装置は、
前記第２の携帯端末から送信される識別情報によって識別される前記一の画像形成装置の能力情報を前記一の画像形成装置から取得する取得手段と、
前記取得手段で取得された前記一の画像形成装置の能力情報と、当該他の画像形成装置の能力との比較に基づいて、前記第２の携帯端末から送信される設定情報を変更するかを判断する第２の判断手段と、
前記第２の判断手段で変更すると判断されたとき、前記一の画像形成装置の能力情報に基づいて前記設定情報を変更する変更手段と、
前記変更手段で変更された設定情報を、前記第１の携帯端末に送信する第３の送信手段と、
を有することを特徴とする画像形成システム。
【発明の詳細な説明】
【技術分野】
【０００１】
本発明は画像形成システムに関する。
【背景技術】
【０００２】
従来より、携帯端末と画像形成装置とを組み合わせた画像形成システムが知られている。かかる画像形成システムによれば、携帯端末から画像形成装置を遠隔操作したり、携帯端末の位置情報に応じて、複数の画像形成装置の中から出力先となる画像形成装置を自動的に決定したりすることができる。
【０００３】
更には、複数の携帯端末を組み合わせ、携帯端末間において画像形成装置に関する情報（例えばアクセス権に関する情報）を共有する構成も提案されている（例えば、特許文献１参照）。当該文献によれば、離れた位置に設置された画像形成装置の周辺にいる作業者にアクセス権を与え、当該画像形成装置内のドキュメントに一時的にアクセスできるようにすることで、当該ドキュメントを遠隔で受け取ることが可能となる。
【０００４】
このように、複数の携帯端末を組み合わせれば、携帯端末間において画像形成装置に関する情報（例えば、アクセス権に関する情報）を共有化することができる。
【発明の概要】
【発明が解決しようとする課題】
【０００５】
ここで、複数の携帯端末間において共有化可能な画像形成装置に関する情報としては、上記のほかに、例えば、設定情報が挙げられる。設定情報を共有化することができれば、携帯端末からドキュメントを印刷出力させる場合等において、携帯端末における設定操作の作業負荷を低減させることが可能となり、ユーザの利便性の向上につながる。
【０００６】
しかしながら、特定の画像形成装置に適用可能な設定情報が他の画像形成装置においても適用可能であるとは限らない。画像形成システム内に機能の異なる画像形成装置が混在している場合があるからである。このため、設定情報を共有化した場合であっても、共有化した設定情報の中に他の画像形成装置には適用できない項目が含まれていた場合にあっては、当該他の画像形成装置のユーザは当該設定情報を手動で修正する必要があり、ユーザにとっては利便性が悪い。
【０００７】
本発明は上記課題に鑑みてなされたものであり、画像形成システムにおいて、携帯端末における設定操作の利便性を向上させることを目的とする。
【課題を解決するための手段】
【０００８】
本発明の実施形態に係る画像形成システムは、以下のような構成を有する。すなわち、
携帯端末と、画像形成装置とを含む画像形成システムであって、
前記携帯端末は、
前記画像形成装置に処理を実行させるために用いる設定情報を記憶する記憶手段と、
他の携帯端末から画像形成装置の識別情報と、前記記憶手段に記憶された設定情報の取得要求を受信する受信手段と、
前記受信手段で受信した画像形成装置の識別情報と、前記記憶手段に記憶された設定情報と、を前記画像形成装置に送信する第１の送信手段と、
を有し、
前記画像形成装置は、
前記携帯端末から送信される識別情報によって識別される他の画像形成装置の能力情報を取得する取得手段と、
前記取得手段で取得された他の画像形成装置の能力情報と、当該画像形成装置の能力との比較に基づいて、前記携帯端末から送信される設定情報を変更するかを判断する第１の判断手段と、
前記第１の判断手段で変更すると判断されたとき、前記他の画像形成装置の能力情報に基づいて前記設定情報を変更する変更手段と、
前記変更手段で変更された設定情報を、前記他の携帯端末に送信する第２の送信手段とを有する。
【発明の効果】
【０００９】
本発明の各実施形態によれば、画像形成システムにおいて、携帯端末における設定操作の利便性を向上させることが可能になる。
【図面の簡単な説明】
【００１０】
【図１】実施形態に係る画像形成システムの全体構成を示す図である。
【図２】画像形成システムに含まれる画像形成装置及びＲＦＩＤリーダの配置の一例を示す図である。
【図３】画像形成システムにおける設定情報の共有化処理の処理手順及び各種情報の伝達経路を模式的に示した図である。
【図４】画像形成システムに含まれる携帯端末の機能構成を示す図である。
【図５】画像形成装置の設定ファイルの一例を示す図である。
【図６】画像形成装置のハードウェア構成を示す図である。
【図７】設定情報の変更処理を説明するための図である。
【図８】画像形成システムに含まれるサーバ装置のハードウェア構成を示す図である。
【図９】画像形成システムにおける設定情報の共有化処理の流れを示すシーケンス図である。
【図１０】設定情報の共有化処理における設定情報データの変遷を示す図である。
【図１１】画像形成システムにおける設定情報の共有化処理の流れを示す他のシーケンス図である。
【図１２】画像形成システムにおける設定情報の共有化処理の処理手順及び各種情報の伝達経路を模式的に示した図である。
【図１３】画像形成システムにおける設定情報の共有化処理の流れを示す他のシーケンス図である。
【図１４】サーバ装置のハードウェア構成を示す図である。
【図１５】画像形成システムにおける設定情報の共有化処理の処理手順及び各種情報の伝達経路を模式的に示した図である。
【図１６】画像形成システムにおける設定情報の共有化処理の流れを示す他のシーケンス図である。
【図１７】画像形成システムにおける設定情報の共有化処理の処理手順及び情報の伝達経路を模式的に示した図である。
【図１８】画像形成システムにおける設定情報の共有化処理の流れを示す他のシーケンス図である。
【図１９】画像形成システムにおける設定情報の共有化処理の処理手順及び情報の伝達経路を模式的に示した図である。
【図２０】サーバ装置のハードウェア構成を示す図である。
【図２１】画像形成システムにおける設定情報の共有化処理の流れを示す他のシーケンス図である。
【図２２】画像形成システムにおける設定情報の共有化処理を説明するための図である。
【図２３】画像形成システムにおける設定情報の共有化処理の流れを示す他のシーケンス図である。
【図２４】携帯端末の表示画面を示す図である。
【図２５】設定ファイルの送信先決定処理の流れを示すフローチャートである。
【図２６】各画像形成装置における設定情報の変更可否を示す図である。
【図２７】携帯端末の表示画面を示す図である。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
【００１２】
［第１の実施形態］
＜１．画像形成システムの全体構成＞
はじめに、本実施形態に係る画像形成システムの全体構成について説明する。図１は、本実施形態に係る画像形成システム１００の全体構成を示す図である。
【００１３】
図１に示すように、本実施形態に係る画像形成システム１００は、複数の携帯端末（携帯端末１１０、１２０）と、複数の画像形成装置（画像形成装置１１１、１２１）とを備える。更に、複数のＲＦＩＤ（Radio Frequency Identification）リーダ（ＲＦＩＤリーダ１１２、１２２）と、アクセスポイント１３０と、サーバ装置１４０とを備える。
【００１４】
画像形成装置１１１、１２１、ＲＦＩＤリーダ１１２、１２２、アクセスポイント１３０、サーバ装置１４０は、ネットワーク１５０を介して接続されている。また、携帯端末１１０、１２０は、アクセスポイント１３０を介してネットワーク１５０と無線接続されている。これにより、携帯端末１１０、１２０、画像形成装置１１１、１２１、ＲＦＩＤリーダ１１２、１２２、サーバ装置１４０は、互いに情報の送受信を行うことができる。
【００１５】
携帯端末１１０は、画像形成装置１１１に印刷出力させるドキュメント及び画像形成装置１１１にドキュメントを印刷出力させる際に用いる設定情報を有している。また、携帯端末１１０は、ＧＰＳ（Global Positioning System）等の位置情報検出部を内蔵しており、自端末の位置を認識することができる。
【００１６】
携帯端末１２０は、画像形成装置１２１の近傍に位置している。携帯端末１２０には、画像形成装置１２１にドキュメントを印刷出力させる際に用いる設定情報を有しておらず、後述する設定情報の共有化処理を実行することにより、設定情報を取得するものとする。
【００１７】
なお、携帯端末１２０が、取得した設定情報を用いてドキュメントを印刷出力させる場合、出力先として、携帯端末１２０に最も近い位置にある画像形成装置１２１が自動的に選択されるものとする。なお、携帯端末１１０と同様に、携帯端末１２０は、ＧＰＳ（Global Positioning System）等の位置情報検出部を内蔵しており、自端末の位置を認識することができる。
【００１８】
アクセスポイント１３０は、携帯端末１１０及び携帯端末１２０と無線接続するための装置である。アクセスポイント１３０は、携帯端末１１０及び携帯端末１２０から送信された情報をネットワーク１５０に送信したり、ネットワーク１５０を介して受信した情報を携帯端末１１０または携帯端末１２０に送信したりする。
【００１９】
画像形成装置１１１、１２１は、スキャナ機能や印刷機能、ファクシミリ機能等を有する装置であり、当該装置には、例えば、ＭＦＰ（Multi Function Peripheral）等が含まれる。画像形成装置１１１、１２１の印刷機能は、カラー／モノクロの設定、トレイのソート設定、両面／片面印刷の設定、ステープルの設定、パンチの設定等、各種項目（あるいはその一部）について設定ができるよう構成されているものとする。なお、本実施形態において、画像形成装置１１１と画像形成装置１２１とでは、設定可能な項目に差があるものとする。
【００２０】
ＲＦＩＤリーダ１１２、１２２は、画像形成装置１１１、１２１に内蔵されているＲＦＩＤタグに格納された情報を、電波や電磁波を送受信することにより読み取る装置である。ＲＦタグには、画像形成装置の型番情報等が記録されており、ＲＦＩＤリーダ１１２、１２２は、サーバ装置１４０からの指示に基づいて、当該情報を読み取り、サーバ装置１４０に送信するよう構成されている。
【００２１】
なお、ＲＦＩＤリーダは、画像形成装置が設置されたオフィス内の天井等に、所定の間隔で設置されているものとする。このうち、ＲＦＩＤリーダ１１２は画像形成装置１１１の近傍に設置され、ＲＦＩＤリーダ１２２は画像形成装置１２１の近傍に設置されているものとする。
【００２２】
図２は、オフィス内のレイアウトデータの一例を示す図であり、画像形成装置及びＲＦＩＤリーダの配置の一例を示している。図２に示すレイアウトデータ２００の例では、同一フロアに画像形成装置Ａ〜画像形成装置Ｄまでの４台の画像形成装置が配されている。このうち、画像形成装置Ｃが図１の画像形成装置１１１に対応している。また、画像形成装置Ｄが図１の画像形成装置１２１に対応している。
【００２３】
また、図２に示すレイアウトデータ２００の例では、同一フロアに１２台のＲＦＩＤリーダが配されている。このうち、画像形成装置Ｃの近傍に配されているＲＦＩＤリーダが図１のＲＦＩＤリーダ１１２に対応している。また、画像形成装置Ｄの近傍に配されているＲＦＩＤリーダが図１のＲＦＩＤリーダ１２２に対応している。
【００２４】
図１の説明に戻る。サーバ装置１４０は、ＲＦＩＤリーダ１１２、１２２と通信し、ＲＦＩＤリーダ１１２、１２２により読み取られた画像形成装置１１１、１２１を示す情報（型番情報等）を取得する。本実施形態において、サーバ装置１４０は、携帯端末１２０からの指示に応じて、画像形成装置１２１を示す情報を取得し、取得した情報を携帯端末１２０に送信する。
【００２５】
＜２．画像形成システムにおける設定情報の共有化処理の処理手順及び各種情報の伝達経路＞
次に、画像形成システム１００における設定情報の共有化処理の処理手順及び各種情報の伝達経路について説明する。本実施形態に係る画像形成システム１００では、図１に示す全体構成のもと、携帯端末１２０からの要求に応じて、携帯端末１１０に格納されている設定情報を携帯端末１２０に提供する、"設定情報の共有化処理"を実行する。
【００２６】
そこで、以下では当該設定情報の共有化処理が実行される場合の、処理手順及び各種情報の伝達経路について説明する。図３は、画像形成システム１００における設定情報の共有化処理の処理手順及び各種情報の伝達経路を模式的に示した図である。
【００２７】
図３の例は、携帯端末１２０が、最も近い位置にある画像形成装置１２１（"画像形成装置Ｄ"）にドキュメントデータを印刷出力させる際に用いる設定情報を有していないため、携帯端末１１０に対して設定情報の共有化を要求する場合を示している。
【００２８】
ただし、携帯端末１１０も画像形成装置１２１（"画像形成装置Ｄ"）にドキュメントデータを印刷出力させる際に用いる設定情報を有していない。このため、携帯端末１２０のユーザは、画像形成装置Ｄに類似する画像形成装置Ｃを指定して、設定情報の共有化を要求するものとする。
【００２９】
図３に示すように、携帯端末１２０は、設定情報データ３２１と出力先情報データ３２２とを有している。設定情報データ３２１とは、例えば、携帯端末１２０が画像形成装置にドキュメントを印刷出力させる際に用いる設定情報と、当該設定情報が適用される適用先の画像形成装置とを対応付けて格納したデータである。図３の例では、携帯端末１２０は、画像形成装置Ａにドキュメントデータの印刷出力させる際に用いる設定情報として"設定ファイルＡ"を有している。また、画像形成装置Ｂにドキュメントデータの印刷出力させる際に用いる設定情報として"設定ファイルＢ"を有している。
【００３０】
一方、出力先情報データ３２２とは、携帯端末１２０の現在位置を示す位置情報と、該位置情報に基づいて特定される、携帯端末１２０に最も近い位置に設置された画像形成装置とを対応付けて格納したデータである。上述したように、携帯端末１２０には位置情報検出部が内蔵されており、現在位置を認識することができる。また、携帯端末１２０は、ドキュメントを印刷出力させる際には、出力先として、携帯端末１２０に最も近い位置の画像形成装置を自動的に選択するように構成されている。このため、携帯端末１２０では、印刷出力させる際の出力先を、出力先情報データ３２２として常に管理している。図３の例では、現在の位置情報に対して、出力先として"画像形成装置Ｄ"が自動的に選択されることを示している。
【００３１】
なお、携帯端末１１０も同様に、設定情報データ３１１及び出力先情報データ３１２を有しているが、携帯端末１２０と同様であるため、ここでは詳細な説明を省略する。
【００３２】
このような状況のもと、携帯端末１２０から携帯端末１１０に対して送信される設定情報の共有化要求には、以下のような情報が含まれる。
・指定した画像形成装置を示す情報：携帯端末１２０のユーザが指定した画像形成装置を示す情報。以下、「指定情報」と称す。図３の例では、画像形成装置Ｃが指定情報として指定されている。
・携帯端末１２０の現在の出力先を示す情報：出力先情報データ３２２に格納された現在の出力先を示す情報。以下、「出力先情報」と称す。図３の例では、画像形成装置Ｄが出力先情報として管理されている。
・共有化すべき設定情報の送信先に関する情報：設定情報の共有化要求を行う要求元の携帯端末に設定情報を送信する場合の宛先情報。以下、「送信先情報」と称す。図３の例では、携帯端末１２０の宛先情報が送信先情報となる。
【００３３】
設定情報の共有化要求を受信した携帯端末１１０では、共有化すべき設定情報を選択する。具体的には、携帯端末１１０に格納された設定情報データ３１１と、設定情報の共有化要求に含まれる指定情報とに基づいて選択する。図３の例では、画像形成装置Ｃに対応付けて格納されている設定情報である"設定ファイルＣ"が選択される。
【００３４】
共有化すべき設定情報を選択した携帯端末１１０では、設定情報の共有化指示を行う。設定情報の共有化指示は、選択した設定情報に対応付けられた画像形成装置に対して送信される。図３の例では、画像形成装置１１１（"画像形成装置Ｃ"）に対して設定情報の共有化指示が送信される。
【００３５】
なお、設定情報の共有化指示には、以下のような情報が含まれる。
・出力先情報
・送信先情報
・設定情報
このうち、出力先情報及び送信先情報は、設定情報の共有化要求に含まれていた情報であり、図３の例では、"画像形成装置Ｄ"及び携帯端末１２０の"宛先情報"である。また、設定情報は、携帯端末１１０において選択された設定情報であり、図３の例では、"設定ファイルＣ"である。
【００３６】
携帯端末１２０から設定情報の共有化指示を受信した画像形成装置１１１（"画像形成装置Ｃ"）では、設定情報の共有化指示に含まれる"出力先情報"により特定される画像形成装置（"画像形成装置Ｄ"）にアクセスし、性能情報の提供を要求する。
【００３７】
性能情報とは、印刷機能において画像形成装置が有する能力を示す能力情報であって、例えば、カラー／モノクロの設定、トレイのソート設定、両面／片面印刷の設定、ステープルの設定、パンチの設定等に関する情報である。つまり、印刷出力するにあたり、ユーザによって設定可能な項目に関する情報である。
【００３８】
性能情報の提供が要求された画像形成装置１２１（"画像形成装置Ｄ"）では、自装置が有する性能情報を、画像形成装置１１１（"画像形成装置Ｃ"）に送信する。一方、画像形成装置１２１（"画像形成装置Ｄ"）より性能情報を受信した画像形成装置１１１（"画像形成装置Ｃ"）では自装置の性能情報を読み出す。そして、画像形成装置１１１（"画像形成装置Ｃ"）と画像形成装置１２１（"画像形成装置Ｄ"）との性能情報の比較を行う。
【００３９】
比較の結果、画像形成装置１１１の性能情報と画像形成装置１２１の性能情報とに違いがないと判定した場合には、設定情報の共有化指示に含まれる設定情報が、画像形成装置１２１（"画像形成装置Ｄ"）においても、そのまま適用可能であると判断する。そこで、設定情報の共有化指示に含まれる送信先情報（携帯端末１２０の宛先情報）に基づいて、携帯端末１２０に対して設定情報（"設定ファイルＣ"）を送信する。
【００４０】
一方、比較の結果、画像形成装置１１１（"画像形成装置Ｃ"）の性能情報と画像形成装置１２１（"画像形成装置Ｄ"）の性能情報とに違いがあったと判定したとする。この場合には、設定情報（"設定ファイルＣ"）を画像形成装置１２１（"画像形成装置Ｄ"）にそのまま適用することはできないと判断する。そこで、画像形成装置１１１では、設定情報の共有化指示に含まれる設定情報（"設定ファイルＣ"）を変更する。図３の例では、設定ファイルＣを設定ファイルＣ'に変更する。
【００４１】
設定情報の変更処理が完了すると、画像形成装置１１１では、変更した設定情報（"設定ファイルＣ'"）を、携帯端末１２０に送信する。
【００４２】
画像形成装置１１１（"画像形成装置Ｃ"）により設定情報（"設定ファイルＣ'"）が送信された携帯端末１２０では、当該設定情報を自端末内の設定情報データ３２１に格納する。以降、携帯端末１２０では、ドキュメントを印刷出力させる際には、当該格納した設定情報（"設定ファイルＣ'"）に基づいて印刷データを生成し、出力先である画像形成装置１２１（"画像形成装置Ｄ"）に送信する。
【００４３】
＜３．携帯端末の機能構成＞
次に、画像形成システム１００に含まれる携帯端末１１０、１２０の機能構成について説明する。図４は、画像形成システム１００に含まれる携帯端末１１０、１２０の機能構成を説明するための図である。なお、上記説明では、携帯端末１２０が設定情報の共有化要求を行う要求元の携帯端末として動作し、携帯端末１１０が設定情報の共有化要求を受ける要求先の携帯端末として動作するものとした。しかしながら、本実施形態において、携帯端末１１０、１２０には、要求元の携帯端末としての機能と要求先の携帯端末としての機能の両方が含まれており、要求元の携帯端末として動作することも、要求先の携帯端末として動作することも可能であるとする。
【００４４】
図４に示すように、携帯端末１１０、１２０は、位置情報検出部４０１、通信部４０２、情報格納部４０３、共有化要求部４０４、共有化指示部４０５、実行部４０６、ユーザインタフェース部４０７を有する。
【００４５】
位置情報検出部４０１は、携帯端末１１０、１２０の現在位置を検出する。具体的には、ＧＰＳを利用して現在位置を検出する。ただし、現在位置の検出方法は、ＧＰＳを利用する方法に限定されるものではなく、例えば、慣性航法装置（INS：Inertial Navigation System）を利用して検出するようにしてもよい。あるいは、ＧＰＳと慣性航法装置とを組み合わせて現在位置を検出するようにしてもよい。
【００４６】
他の手法として、携帯端末それぞれに近距離無線通信部を配し、近距離無線通信（赤外線・Ｂｌｕｅｔｏｏｔｈ(登録商標)、音波等）の通信強度（電波強度や音量等）により位置を特定するようにしてもよい。
【００４７】
なお、慣性航法装置とは、外部から電波による支援を得ることなく、慣性計測装置（IMU：Inertial Measurement Unit）のみによって自端末の現在位置や現在速度を算出する公知の技術である。慣性計測装置である加速度センサにより検出された加速度を積分することで速度を算出し、速度を積分することで距離を算出する。更に、慣性計測装置であるジャイロセンサで方向を検出する。そして、距離と方向とにより導出されるベクトルを細分点ごとに合成していくことで、所定の基準位置に対する現在位置を算出する。
【００４８】
通信部４０２は、アクセスポイント１３０を介してネットワーク１５０との間で情報の送受信を行う。
【００４９】
情報格納部４０３は、画像形成装置１１１、１２１にて印刷出力されるドキュメントデータ４１１や、当該ドキュメントデータを印刷出力させる際に用いる設定情報と、適用先の画像形成装置とが対応付けられた設定情報データ３１１、３２１を格納する。更に、位置情報検出部４０１において検出された現在位置の位置情報と、該位置情報に基づいて特定される出力先の画像形成装置とが対応付けられた出力先情報データ３１２、３２２を格納する。
【００５０】
なお、図５は、情報格納部４０３に格納された設定情報データ３１１の"設定ファイルＣ"の具体例を示す図である。図５に示すように、設定ファイルＣには、設定ファイルＣが適用される画像形成装置Ｃの性能情報の各項目の設定値が記載されている。
【００５１】
共有化要求部４０４は、他の携帯端末に設定情報の共有化要求（他の携帯端末が格納する設定情報の提供要求）を行う。
【００５２】
具体的には、ユーザインタフェース部４０７を介してユーザからの指示が入力されることで起動し、位置情報検出部４０１より現在位置を示す位置情報を取得する。そして、取得した位置情報を、出力先情報の取得指示に含めて、サーバ装置１４０に送信する。また、出力先情報の取得指示の送信に応じてサーバ装置１４０より受信した画像形成装置の型番情報（例えば、"画像形成装置Ｄ"の型番情報）を、出力先情報として取得する。更に、ユーザから指定情報の入力を受け付け、携帯端末１１０に対して、設定情報の共有化要求を送信する。
【００５３】
更に、設定情報の共有化要求を送信した結果として、画像形成装置１１１より設定情報を受信すると、当該設定情報を適用先情報と対応付けて情報格納部４０３の設定情報データ３２１に格納する。
【００５４】
共有化指示部４０５は、他の携帯端末より設定情報の共有化要求を受信した場合に、設定情報の共有化要求に含まれる情報（指定情報）に基づいて共有化すべき設定情報を選択する。また、当該選択した設定情報を、設定情報の共有化要求に含まれる他の情報とともに、設定情報の共有化指示として送信する。なお、設定情報の共有化指示の送信先は、設定情報データ３１１において、共有化すべき設定情報として選択された設定情報に対応付けて格納された画像形成装置となる。
【００５５】
実行部４０６は、画像形成装置１１１、１２１に、ドキュメントデータの印刷処理を実行させる。具体的には、ユーザインタフェース部４０７を介してユーザより指示が入力されることで起動し、ドキュメントデータ４１１を、設定情報（現在の位置情報に対応する出力先の画像形成装置に適用される設定情報）に基づいて印刷データに変換する。また、現在の位置情報に対応する出力先の画像形成装置に、当該変換した印刷データを送信する。
【００５６】
ユーザインタフェース部４０７は、ユーザが各種指示を入力する際に用いられる。また、携帯端末１１０、１２０の内部状態を表示する。共有化要求部４０４や実行部４０６の起動は、ユーザインタフェース部４０７を介してユーザにより指示される。
【００５７】
＜４．画像形成装置の機能構成＞
次に、画像形成装置１１１、１２１の機能構成について説明する。図６は、画像形成装置１１１、１２１の機能構成を示す図である。
【００５８】
画像形成装置１１１、１２１は、プリント機能、スキャナ機能、コピー機能、ファクシミリ機能を有するＭＦＰ（Multi Function Peripheral）と称されるデジタル複合機である。
【００５９】
図６に示すように、画像形成装置１１１、１２１は、通信部６０１、プリンタ部６０２、スキャナ部６０３、ファクシミリ通信部６０４、操作部６０５、ＲＦタグ６０６を有する。更に、ＣＰＵ（コンピュータ）６０７、ＲＯＭ（Read Only Memory）６０８、ＲＡＭ（Random Access Memory）６０９、不揮発メモリ６１０、記憶装置６１１を有する。
【００６０】
通信部６０１は、ネットワーク１５０を介して接続された各装置との通信を制御する。プリンタ部６０２は、シアン、マゼンタ、イエロー、ブラックのトナーを使用して、記録紙にカラー画像またはモノクロ画像を印刷出力する。更に、印刷出力される記録紙をソートしたうえでステープルしたり、印刷出力される記録紙にパンチ穴を開けたりする。
【００６１】
スキャナ部６０３は、１次元配列されたＬＥＤアレイを光源としてカラーＣＣＤラインセンサにより原稿画像を読み取りドキュメントデータを生成する。また、カラーＣＣＤラインセンサから出力されるＲ（Red）、Ｇ（Green）、Ｂ（Blue）の各アナログ画像信号をそれぞれＡ（Analog）／Ｄ（Digital）変換によりデジタル画像データに変換し、出力する。
【００６２】
ファクシミリ通信部６０４は、回線を介して接続された外部装置との間で、ファクシミリの送受信を行う。
【００６３】
操作部６０５は、ハードキー、ＬＥＤ、タッチパネル式の画面等を有し、プリント機能、スキャナ機能、コピー機能、ファクシミリ機能を利用する際に、ユーザが各種指示、設定を入力する。また、画像形成装置１１１、１２１の内部情報である、ジョブ履歴や機器状態、設定情報等を表示する。
【００６４】
ＣＰＵ６０７は、ＲＯＭ６０８に記憶された各種制御プログラムやＯＳ（Operating System）を実行する。ＲＯＭ６０８に記憶された制御プログラムには、設定情報の共有化処理を実現するための共有化アプリケーション６２０が含まれる。
【００６５】
また、共有化アプリケーション６２０には、ＣＰＵ６０７により実行されることで、アクセス部６２１として機能するプログラム、性能情報要求部６２２として機能するプログラムが含まれる。更に、性能情報回答部６２３として機能するプログラム、設定情報変更部６２４として機能するプログラム、出力部６２５として機能するプログラムが含まれる。
【００６６】
アクセス部６２１は、携帯端末１１０より、設定情報の共有化指示を受信した場合に、当該指示に含まれる出力先情報により特定される画像形成装置にアクセスする。また、設定情報の変更処理が完了した場合に、設定情報の共有化指示に含まれる送信先情報に基づいて携帯端末にアクセスする。
【００６７】
性能情報要求部６２２は、出力先情報に基づいてアクセス部６２１によりアクセスされた画像形成装置に対して、性能情報の提供を要求する。
【００６８】
性能情報回答部６２３は、性能情報の提供要求を受信した場合に、自装置の性能情報を読み出し、性能情報の提供要求を行った画像形成装置に送信する。
【００６９】
設定情報変更部６２４は、携帯端末１１０より設定情報の共有化指示に含まれる設定情報について、出力先情報により特定される画像形成装置への適用可否を判定し、必要に応じて設定値を変更する。
【００７０】
具体的には、画像形成装置１２１より取得した性能情報と、自装置の性能情報とを比較することで、画像形成装置１２１に適用することのできない設定値の有無を判定する。また、適用することのできない設定値があった場合に、当該設定値を削除するか、適切な設定値に変更する。なお、設定情報に記載された設定値すべてが、画像形成装置１２１に適用可能であると判定した場合には、設定情報の変更処理は行わない。
【００７１】
図７は、設定情報変更部６２４による設定情報の変更処理を説明するための図である。図７（ａ）は、画像形成装置１１１（"画像形成装置Ｃ"）の性能情報７００と、画像形成装置１２１（"画像形成装置Ｄ"）の性能情報７０１とをそれぞれ示している。
【００７２】
図７（ａ）の例では、画像形成装置１１１（"画像形成装置Ｃ"）がステープル機能及びパンチ機能を搭載しているのに対して、画像形成装置１２１（"画像形成装置Ｄ"）には、ステープル機能及びパンチ機能が搭載されていない。
【００７３】
図７（ｂ）は、図７（ａ）に示す性能情報７００と性能情報７０１との比較のもと、共有化すべき設定情報として選択された設定情報７１０（"設定ファイルＣ"）を設定情報７１１（"設定ファイルＣ'"）に変更する様子を示している。上述したように、画像形成装置１２１（"画像形成装置Ｄ"）の場合、ステープル機能及びパンチ機能を有していないため、設定ファイルＣにおいて、ステープル"あり"となっている設定値は、設定ファイルＣ'では、ステープル"なし"に変更される。
【００７４】
図６の説明に戻る。出力部６２５は、設定情報変更部６２４において設定情報の変更処理が完了した場合に、送信先情報に基づいてアクセス部６２１によりアクセスされた携帯端末１２０に対して、該変更した設定情報７１１（"設定ファイルＣ'"）を出力する。
【００７５】
ＲＡＭ６０９は、ＣＰＵ６０７が各種制御プログラムを実行する際に、各種データを一時的に格納するワークメモリとして使用される。
【００７６】
不揮発メモリ６１０は、電源がオフにされても記憶が保持される書き換え可能なメモリであり、各種の設定情報等が記憶される。
【００７７】
記憶装置６１１は、大容量の不揮発の記憶装置であり、プリント機能、スキャナ機能、コピー機能、ファクシミリ機能を実行する際のデータ等を記憶する。
【００７８】
＜５．サーバ装置のハードウェア構成＞
次に、サーバ装置１４０のハードウェア構成について説明する。図８は、サーバ装置１４０のハードウェア構成を示す図である。
【００７９】
図８に示すように、サーバ装置１４０は、ＣＰＵ（Central Processing Unit）８０１、ＲＯＭ（Read Only Memory）８０２、ＲＡＭ（Random Access Memory）８０３、記憶装置８０４を備える。更に、ユーザインタフェース部８０５、通信部８０６を備える。なお、サーバ装置１４０の各部は、バス８０７を介して相互に接続されているものとする。
【００８０】
ＣＰＵ８０１は、記憶装置８０４に格納された、位置特定部８１１として機能するプログラム及び情報取得部８１２として機能するプログラムを実行するコンピュータである。
【００８１】
ＣＰＵ８０１が、位置特定部８１１として機能するプログラムを実行することにより、サーバ装置１４０では、携帯端末１２０周辺に設置されているＲＦＩＤリーダを特定する。具体的には、携帯端末１２０より受信した、出力先情報の取得指示に含まれる携帯端末１２０の位置情報と、レイアウトデータ２００とに基づいて、携帯端末１２０周辺に設置されているＲＦＩＤリーダ（ここでは、"ＲＦＩＤリーダ１２２"）を特定する。
【００８２】
また、ＣＰＵ８０１が、情報取得部８１２として機能するプログラムを実行することにより、サーバ装置１４０では、特定したＲＦＩＤリーダ１２２を起動させる。
【００８３】
特定したＲＦＩＤリーダ１２２が起動することにより、ＲＦＩＤリーダ１２２では、近傍の画像形成装置に内蔵されたＲＦＩＤタグに格納されている情報（型番情報等）を受信するため、サーバ装置１４０では、ＲＦＩＤリーダ１２２より、当該情報を取得する。これにより、サーバ装置１４０では、携帯端末１２０周辺に設置された画像形成装置（"画像形成装置Ｄ"）を認識することができる。つまり、携帯端末１２０の現在の位置情報に応じた出力先である画像形成装置（"画像形成装置Ｄ"）を認識することができる。
【００８４】
ＲＯＭ８０２は不揮発性メモリである。ＲＯＭ８０２は、記憶装置８０４に格納された各プログラムを、ＣＰＵ８０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００８５】
ＲＡＭ８０３は、ＤＲＡＭ（Dynamic Random Access Memory）やＳＲＡＭ（Static Random Access Memory）等の主記憶装置である。ＲＡＭ８０３は、記憶装置８０４に格納された各プログラムがＣＰＵ８０１によって実行される際に展開される、作業領域として機能する。
【００８６】
記憶装置８０４は、位置特定部８１１として機能するプログラム、情報取得部８１２として機能するプログラムを格納する。ユーザインタフェース部８０５は、サーバ装置１４０に対して各種指示を入力したり、サーバ装置１４０の内部状態を表示したりする。
【００８７】
通信部８０６は、携帯端末１２０より送信される、出力先情報の取得指示を受信するとともに、出力先の画像形成装置（"画像形成装置Ｄ"）より取得した情報（型番情報等）を携帯端末１２０に送信する。
【００８８】
＜６．画像形成システムにおける設定情報の共有化処理の流れ＞
次に、画像形成システム１００における設定情報の共有化処理の流れについて説明する。図９は、画像形成システム１００における設定情報の共有化処理の流れを示すシーケンス図である。
【００８９】
はじめに、携帯端末１２０の位置情報検出部４０１が起動することで、位置情報の検出が開始される（ステップＳ９０１）。その後、ユーザからの指示により、共有化要求部４０４が起動すると、携帯端末１２０ではサーバ装置１４０に対して、出力先情報の取得指示を送信する（ステップＳ９０２）。なお、当該指示には、位置情報検出部４０１において検出された位置情報が含まれている。
【００９０】
携帯端末１２０より、出力先情報の取得指示を受信したサーバ装置１４０では、位置特定部８１１を起動させる。位置特定部８１１が起動すると、出力先情報の取得指示に含まれる位置情報に基づいて、携帯端末１２０周辺に設置されたＲＦＩＤリーダを特定する（ステップＳ９０３）。
【００９１】
更に、サーバ装置１４０では、情報取得部８１２が起動し、特定したＲＦＩＤリーダ（"ＲＦＩＤリーダ１２２"）を起動させることにより受信された型番情報（"画像形成装置Ｄ"の型番情報）を取得する。取得した型番情報は携帯端末１２０に送信され、出力先情報として用いられる。（ステップＳ９０４）。
【００９２】
出力先情報を取得した携帯端末１２０では、ユーザより指定情報の入力を受け付けると、携帯端末１１０に対して、設定情報の共有化要求を行う（ステップＳ９０５）。上述したように、設定情報の共有化要求には、指定情報（"画像形成装置Ｃ"）、出力先情報（"画像形成装置Ｄ"）、送信先情報（"携帯端末１２０の宛先情報"）が含まれる。
【００９３】
設定情報の共有化要求を受信した携帯端末１１０では、共有化指示部４０５を起動する。そして、携帯端末１１０の設定情報データ３１１に格納されている設定情報のうち、指定情報（"画像形成装置Ｃ"）に対応する設定情報（"設定ファイルＣ"）を、共有化すべき設定情報として選択する（ステップＳ９０６）。
【００９４】
更に、設定情報データ３１１において共有化すべき設定情報と対応付けられている画像形成装置（"画像形成装置Ｃ"）に対して、設定情報の共有化指示を送信する（ステップＳ９０７）。上述したように、設定情報の共有化指示には、共有化すべき設定情報（"設定ファイルＣ"）と、設定情報の共有化要求に含まれる情報（出力先情報（"画像形成装置Ｄ"）、送信先情報（"携帯端末１２０の宛先情報"））とが含まれる。
【００９５】
設定情報の共有化指示を受信した画像形成装置１１１（"画像形成装置Ｃ"）では、アクセス部６２１が、当該指示に含まれる出力先情報に基づいて画像形成装置（"画像形成装置Ｄ"）にアクセスする。更に、性能情報要求部６２２が、アクセスした画像形成装置１２１（"画像形成装置Ｄ"）に対して、性能情報の提供要求を送信する（ステップＳ９０８）。
【００９６】
性能情報の提供要求を受けた画像形成装置１２１（"画像形成装置Ｄ"）では、性能情報回答部６２３が、画像形成装置１２１（"画像形成装置Ｄ"）の性能情報を読み出す。読み出した性能情報は、画像形成装置１１１（"画像形成装置Ｃ"）に対して送信される（ステップＳ９０９）。
【００９７】
性能情報を受信した画像形成装置１１１（"画像形成装置Ｃ"）では、設定情報変更部６２４を起動し、当該取得した性能情報と、画像形成装置１１１（"画像形成装置Ｃ"）が有する性能情報とを比較する（ステップＳ９１０）。比較の結果、設定情報の変更が必要であると判定した場合には、設定情報（"設定ファイルＣ"）を変更する（ステップＳ９１１）。一方、設定情報の変更が必要でないと判定した場合には、設定情報の変更処理は行わない。
【００９８】
設定情報変更部６２４による処理が終了すると、アクセス部６２１が送信先情報（"携帯端末１２０の宛先情報"）に基づいて携帯端末１２０にアクセスする。更に、出力部６２５が、必要に応じて変更された設定情報（"設定ファイルＣ"または"設定ファイルＣ'"）を送信する（ステップＳ９１２）。
【００９９】
画像形成装置１１１（"画像形成装置Ｃ"）より、設定情報を受信した携帯端末１２０では、当該設定情報を出力先情報（"画像形成装置Ｄ"）と対応付けて、情報格納部４０３の設定情報データ３２１に格納する（ステップＳ９１３）。
【０１００】
その後、ユーザにより、携帯端末１２０の実行部４０６が起動され、情報格納部４０３に格納されたドキュメントデータ４１１の印刷出力の指示（印刷指示）がなされると、実行部４０６では、位置情報検出部４０１により検出された現在の位置情報を取得する。更に、ステップＳ９１４〜Ｓ９１６において、ステップＳ９０２〜Ｓ９０４と同様の処理を実行することで、出力先情報（"画像形成装置Ｄ"）を取得する。更に、当該出力先情報により特定される画像形成装置（"画像形成装置Ｄ"）に印刷出力させる際に用いる設定情報("設定ファイルＣ'")を設定情報データ３２１より読み出す。
【０１０１】
そして、当該ドキュメントデータを、設定情報（"設定ファイルＣ'"）に基づいて印刷データに変換し、出力先である画像形成装置１２１（"画像形成装置Ｄ"）に対して通信部４０２を介して当該印刷データを送信する（ステップＳ９１７）。
【０１０２】
印刷データを受信した画像形成装置１２１では、プリンタ部６０２が起動し、当該印刷データを印刷出力する（ステップＳ９１８）。
【０１０３】
図１０は、上記設定情報の共有化処理において、携帯端末１２０に格納されている設定情報データ３２１の記載内容が変遷していく様子を示したものである。設定情報の共有化処理前においては、設定情報データ３２１は、図１０（ａ）に示す記載内容であった（図３と同じ）。これに対して、ステップＳ９０４により出力先情報が取得されることで、設定情報データ３２１には、あらたに適用先として"画像形成装置Ｄ"が記載される（図１０（ｂ））。
【０１０４】
更に、ステップＳ９１１において、設定情報データ３２１が更新されることで、"画像形成装置Ｄ"に対応する設定情報として、"設定ファイルＣ'"が記載される。
【０１０５】
＜７．まとめ＞
以上の説明から明らかなように、本実施形態に係る画像形成システムでは、
・現在位置の位置情報に基づいて、出力先を自動的に選択するように構成した。
【０１０６】
・出力先情報と、指定情報と、送信先情報とを含めて、設定情報の共有化要求を行うように構成した。
【０１０７】
・設定情報の共有化要求を受信した場合に、指定情報に基づいて共有化すべき設定情報を選択するように構成した。
【０１０８】
・選択した設定情報に対応付けられた画像形成装置に対して、出力先情報と、送信先情報と、選択した設定情報とを含めて、設定情報の共有化指示を送信するように構成した。
【０１０９】
・設定情報の共有化指示を受信した場合に、出力先情報に基づいて他の画像形成装置にアクセスし、当該アクセスした他の画像形成装置の性能情報を取得することで、共有化指示に含まれる設定情報の変更要否を判定するように構成した。
【０１１０】
・設定情報の変更が必要と判定した場合には、設定情報を、出力先情報により特定される画像形成装置において適用可能な設定値に変更するように構成した。
【０１１１】
・設定情報の共有化指示に含まれる送信先情報の携帯端末に、設定値が変更された設定情報を送信するように構成した。
【０１１２】
これにより、携帯端末間において設定情報を共有化するにあたり、共有化要求を行う携帯端末が印刷出力させる出力先の画像形成装置の性能情報に応じて、当該設定情報を変更することが可能となる。
【０１１３】
この結果、設定情報を受信したユーザが当該設定情報を、印刷出力させる出力先の画像形成装置の性能情報にあわせて修正する必要がなくなり、携帯端末における設定操作の利便性を向上させることが可能となる。
【０１１４】
［第２の実施形態］
上記第１の実施形態では、性能情報の提供を要求する画像形成装置の性能情報と、性能情報の提供要求を受ける画像形成装置の性能情報とを比較し、違いがあった場合に、設定情報を自動的に変更する構成とした。
【０１１５】
しかしながら、本発明はこれに限定されず、例えば、設定情報の共有化指示を行った携帯端末に対して、設定情報の変更許否を確認し、設定情報の変更の許可があった場合に、画像形成装置による設定情報の変更処理を実行する構成としてもよい。
【０１１６】
あるいは、設定情報の変更許否の確認に対して、設定情報の共有化指示を行った携帯端末側が設定情報の変更処理を行う場合にあっては、変更後の設定情報を受信する構成としてもよい。
【０１１７】
図１１は、本実施形態に係る画像形成システムにおける設定情報の共有化処理の流れを示すシーケンス図である。なお、図１１に示すシーケンス図のうち、ステップＳ９０１からＳ９１０までの処理、及び、ステップＳ９１２からＳ９１８までの処理は、図９に示すシーケンス図において既に説明済みであるため、ここでは、図９との相違点について説明する。
【０１１８】
図１１のステップＳ９１０において、設定情報の変更が必要であると判定した場合、画像形成装置１１１（"画像形成装置Ｃ"）では、携帯端末１１０に対して警告指示を送信する（ステップＳ１１０１）。
【０１１９】
警告指示を受信した携帯端末１１０では、当該警告指示を表示するとともに、ユーザから当該設定情報に対する自動変更の許否の入力を受け付ける（ステップＳ１１０２）。
【０１２０】
ここで、ユーザにより、当該設定情報についての自動変更を許可する旨の入力を受け付けた場合には、携帯端末１１０は、画像形成装置１１１（"画像形成装置Ｃ"）に対して、変更指示を送信する（ステップＳ１１０３）。変更指示を受信した画像形成装置（"画像形成装置Ｃ"）では、設定情報を変更する（ステップＳ１１０４）。
【０１２１】
一方、ユーザにより、当該設定情報についての自動変更を許可しない旨の入力を受け付けた場合には、携帯端末１１０は、画像形成装置１１１（"画像形成装置Ｃ"）に対して、変更が不要である旨の指示を送信する（ステップＳ１１０５）。この場合、画像形成装置１１１（"画像形成装置Ｃ"）では、設定情報の変更処理は行わない。
【０１２２】
ただし、自動変更を許可しない旨の入力を行ったユーザが、携帯端末１１０上において設定情報の変更処理を行った場合には（ステップＳ１１０６）、当該変更後の設定情報を、再度、画像形成装置１１１（"画像形成装置Ｃ"）に送信する（ステップＳ１１０７）。
【０１２３】
画像形成装置１１１（"画像形成装置Ｃ"）では、変更後の設定情報を、送信先情報に基づいて携帯端末１２０に送信する（ステップＳ９１２）。
【０１２４】
以上の説明から明らかなように、本実施形態に係る画像形成システムでは、上記第１の実施形態に係る画像形成システムの構成に加え、更に、
・性能情報の提供を要求する画像形成装置において、設定情報の変更が必要であると判定した場合に、設定情報の共有化指示を送信した携帯端末に対して警告指示を送信するように構成した。
【０１２５】
・設定情報の共有化指示を送信した携帯端末からの変更許否の指示に従って、設定情報の変更処理を行うように構成した。
【０１２６】
これにより、設定情報の共有化処理において設定情報を提供する側の携帯端末が、設定情報の変更処理を管理することが可能となる。
【０１２７】
［第３の実施形態］
上記第１及び第２の実施形態では、設定情報の共有化指示を受信した画像形成装置が、設定情報の共有化要求を行う要求元の携帯端末に、共有化すべき設定情報を直接送信する構成としたが、本発明はこれに限定されない。
【０１２８】
例えば、サーバ装置１４０に送信し、サーバ装置１４０が携帯端末１２０に設定情報を送信するように構成してもよい。
【０１２９】
＜画像形成システムにおける設定情報の共有化処理の処理手順及び各種情報の伝達経路＞
図１２は、本実施形態に係る画像形成システム１２００における設定情報の共有化処理の処理手順及び各種情報の伝達経路を模式的に示した図である。なお、ここでは、図３との相違点を中心に説明する。
【０１３０】
図１２に示すように、設定情報の共有化指示を受信する画像形成装置１１１（"画像形成装置Ｃ"）では、画像形成装置１２１（"画像形成装置Ｄ"）より、性能情報を受信し、設定情報を変更したのち、当該設定情報をサーバ装置１４０に送信する。
【０１３１】
このように画像形成装置１１１（"画像形成装置Ｃ"）が、設定情報をサーバ装置１４０に送信する構成とすることで、設定情報の共有化要求及び設定情報の共有化指示に、送信先情報を含める必要がなくなる。画像形成装置１１１（"画像形成装置Ｃ"）では、設定情報の共有化要求を行う携帯端末とは無関係に、設定情報をサーバ装置１４０に送信すればよいからである。そして、送信先情報を含める必要がなくなることで、設定情報の共有化処理において、携帯端末間で送受信される情報量を減らすことが可能となる。更に、携帯端末の宛先情報を送受信しないため、セキュリティの観点からも望ましい。
【０１３２】
なお、サーバ装置１４０では、携帯端末１２０が共有化要求部４０４を起動し、出力先情報の取得指示を送信した際に、型番情報を返信するように構成されている。つまり、サーバ装置１４０は設定情報の共有化要求を行う携帯端末１２０に設定情報を送信するための宛先情報を、出力情報の取得指示に対する返信先として、事前に把握することができる。このため、サーバ装置１４０は画像形成装置１１１（"画像形成装置Ｃ"）から設定情報を受信した場合に、出力先情報の取得指示に対する返信先に、当該受信した設定情報を送信する構成となっている。
【０１３３】
＜画像形成システムにおける設定情報の共有化処理の流れ＞
図１３は、本実施形態に係る画像形成システム１２００における設定情報の共有化処理の流れを示すシーケンス図である。なお、図１３に示すシーケンス図は、図９を用いて説明した、第１の実施形態に係る画像形成システム１００における設定情報の共有化処理と同様である。ここでは、図９に示すシーケンス図との相違点を中心に説明する。
【０１３４】
図１３において、図９に示すシーケンス図との相違点は、ステップＳ１３０１〜１３０３である。ステップＳ１３０１では、サーバ装置１４０が、画像形成装置１１１（"画像形成装置Ｃ"）より、設定情報を受信する。
【０１３５】
ステップＳ１３０２では、出力先情報の取得指示を行った携帯端末の宛先情報を特定するする。更に、ステップＳ１３０３では、特定した携帯端末の宛先情報に基づいて、受信した設定情報を送信する。
【０１３６】
＜サーバ装置のハードウェア構成＞
次に、本実施形態に係る画像形成システム１２００におけるサーバ装置１４０のハードウェア構成について説明する。図１４は、本実施形態に係る画像形成システム１２００におけるサーバ装置１４０のハードウェア構成を示す図である。
【０１３７】
なお、図１４に示すサーバ装置１４０の構成は、上記第１の実施形態において図８を用いて説明したサーバ装置１４０のハードウェア構成と同様であるため、ここでは、図８との相違点について説明する。
【０１３８】
図１４において、情報送信部１４０１は、画像形成装置１１１より設定情報を受信すると、出力先情報の取得指示に対して情報取得部８１２が型番情報を返信した携帯端末を特定する。そして、当該特定した携帯端末に対して、受信した設定情報を送信する。
【０１３９】
このように、本実施形態に係る画像形成システムによれば、設定情報の共有化要求及び設定情報の共有化指示に含める情報量を減らすことが可能となる。また、本実施形態に係る画像形成システムの場合、携帯端末の宛先情報を送受信する必要がないため、セキュリティの観点からも望ましい。
【０１４０】
［第４の実施形態］
上記第１及び第２の実施形態では、設定情報の共有化指示を受信した画像形成装置が、設定情報の共有化要求を行う要求元の携帯端末に、共有化すべき設定情報を直接送信する構成としたが、本発明はこれに限定されない。
【０１４１】
例えば、設定情報の共有化指示を行う携帯端末に送信し、設定情報の共有化指示を行う携帯端末が、設定情報の共有化要求を行う携帯端末に、当該受信した設定情報を送信する構成としてもよい。
【０１４２】
＜画像形成システムにおける設定情報の共有化処理の処理手順及び各種情報の伝達経路＞
図１５は、本実施形態に係る画像形成システム１５００における設定情報の共有化処理の処理手順及び各種情報の伝達経路を模式的に示した図である。なお、ここでは、図３との相違点を中心に説明する。
【０１４３】
図１５に示すように、設定情報の共有化指示を受信する画像形成装置１１１（"画像形成装置Ｃ"）では、画像形成装置１２１（"画像形成装置Ｄ"）より、性能情報を受信し、設定情報を変更したのち、当該設定情報を携帯端末１１０に送信する。
【０１４４】
このように画像形成装置１１１（"画像形成装置Ｃ"）が、設定情報を携帯端末１１０に送信する構成とすることで、設定情報の共有化要求及び設定情報の共有化指示に、送信先情報を含める必要がなくなる。画像形成装置１１１（"画像形成装置Ｃ"）では、設定情報の共有化要求を行う携帯端末とは無関係に、設定情報の共有化指示を行う携帯端末に設定情報を送信すればよいからである。また、送信先情報を含める必要がなくなることで、設定情報の共有化処理において、携帯端末間で送受信される情報量を減らすことが可能となる。更に、携帯端末の宛先情報を送受信しないため、セキュリティの観点からも望ましい。
【０１４５】
なお、携帯端末１１０では、設定情報を受信した場合に、設定情報の共有化要求を行った携帯端末に、当該受信した設定情報を送信する。
【０１４６】
＜画像形成システムによる設定情報共有化処理の流れ＞
図１６は、本実施形態に係る画像形成システム１５００における設定情報の共有化処理の流れを示すシーケンス図である。なお、図１６に示すシーケンス図は、図９を用いて説明した、第１の実施形態に係る画像形成システム１００における設定情報の共有化処理と同様である。ここでは、図９に示すシーケンス図との相違点を中心に説明する。
【０１４７】
図１６において、図９に示すシーケンス図との相違点は、ステップＳ１６０１〜Ｓ１６０２である。ステップＳ１６０１では、画像形成装置１１１が、設定情報の共有化指示の指示元である携帯端末１１０に、設定情報を送信する。
【０１４８】
ステップＳ１６０２では、携帯端末１１０が、設定情報の共有化要求の要求元である携帯端末１２０に、受信した設定情報を送信する。
【０１４９】
このように、本実施形態に係る画像形成システムによれば、設定情報の共有化要求及び設定情報の共有化指示に含める情報量を減らすことが可能となる。また、本実施形態に係る画像形成システムの場合、携帯端末の宛先情報を送受信する必要がないため、セキュリティの観点からも望ましい。
【０１５０】
［第５の実施形態］
上記第１の実施形態では、設定情報の共有化要求を行う携帯端末の出力先の画像形成装置に適用可能な設定情報を、設定情報の共有化要求の要求先の携帯端末が有していない場合について説明した。
【０１５１】
しかしながら、本発明はこれに限定されず、設定情報の共有化要求を行う携帯端末の出力先の画像形成装置に適用可能な設定情報を、設定情報の共有化要求の要求先の携帯端末が有しているケースも多い。そこで、本実施形態では、設定情報の共有化要求を行う携帯端末の出力先の画像形成装置に適用可能な設定情報を、設定情報の共有化要求の要求先の携帯端末が有している場合について説明する。
【０１５２】
＜画像形成システムにおける設定情報の共有化処理の処理手順及び各種情報の伝達経路＞
図１７は、本実施形態に係る画像形成システム１７００における設定情報の共有化処理の処理手順及び各種情報の伝達経路を模式的に示した図である。なお、ここでは、図３との相違点を中心に説明する。
【０１５３】
図１７に示すように、携帯端末１１０は、設定情報データ３１１において、画像形成装置１２１（"画像形成装置Ｄ"）に適用可能な設定情報（"設定ファイルＤ"）を有している。そこで、携帯端末１２０のユーザは、設定情報の共有化要求を行うにあたり、指定情報として画像形成装置Ｄを指定したとする。
【０１５４】
この場合、携帯端末１１０では、共有化すべき設定情報として、"設定ファイルＤ"を選択する。また、設定情報の共有化指示を送信する送信先として、選択した設定情報（"設定ファイルＤ"）に対応付けられた画像形成装置("画像形成装置Ｄ")を特定する。
【０１５５】
つまり、携帯端末１１０は、設定情報の共有化指示を、画像形成装置１２１（"画像形成装置Ｄ"）に送信する。
【０１５６】
設定情報の共有化指示を受信した画像形成装置１２１("画像形成装置Ｄ")では、出力先情報が自装置であるため、性能情報の提供要求を行ったり、他の画像形成装置から提供される性能情報を受信し、自装置の性能情報と比較したりする必要がない。
【０１５７】
このため、設定情報の共有化指示に含まれる設定情報を、そのまま、送信先情報に基づいて特定される携帯端末１２０に送信する。
【０１５８】
＜画像形成システムにおける設定情報の共有化処理の流れ＞
図１８は、本実施形態に係る画像形成システム１７００における設定情報の共有化処理の流れを示すシーケンス図である。なお、図１８に示すシーケンス図は、図９を用いて説明した、第１の実施形態に係る画像形成システム１００における設定情報の共有化処理と同様である。ここでは、図９に示すシーケンス図との相違点を中心に説明する。
【０１５９】
図１８において、図９に示すシーケンス図との相違点は、図９のステップＳ９０８からステップＳ９１１までの処理が不要である点である。また、携帯端末１１０による設定情報の共有化指示の指示先が、画像形成装置１１１ではなく画像形成装置１２１となっている点である（ステップＳ９０７）。更に、設定情報の送信が、画像形成装置１１１ではなく画像形成装置１２１によって実行される点である（ステップＳ９１２）。
【０１６０】
このように、本実施形態では、設定情報の共有化指示を受信した画像形成装置が、当該指示に含まれる出力先情報が自装置であると判定した場合に、当該指示に含まれる設定情報を、送信先情報により特定される携帯端末にそのまま送信する構成とした。これにより設定情報の共有化処理を簡素化することが可能となる。
【０１６１】
［第６の実施形態］
上記第１の実施形態では、共有化すべき設定情報に対応付けられた画像形成装置に対して、設定情報の共有化指示を送信する構成としたが、本発明はこれに限定されない。
【０１６２】
例えば、画像形成システムに含まれるすべての画像形成装置の性能情報をサーバ装置１４０が一括して管理する場合にあっては、サーバ装置１４０に送信するように構成してもよい。
【０１６３】
＜画像形成システムにおける設定情報の共有化処理の処理手順及び各種情報の伝達経路＞
図１９は、本実施形態に係る画像形成システム１９００における設定情報の共有化処理の処理手順及び各種情報の伝達経路を模式的に示した図である。なお、ここでは、図３との相違点を中心に説明する。
【０１６４】
図１９に示すように、本実施形態に係る画像形成システム１９００では、サーバ装置１４０に、各画像形成装置の性能情報１９１０が格納されている。このため、設定情報の共有化要求を受信した携帯端末１１０では、設定情報の共有化指示を、当該サーバ装置１４０に送信する。
【０１６５】
なお、携帯端末１１０では、設定情報の共有化指示を送信するにあたり、更に、選択した設定情報に対応付けられた画像形成装置を示す情報（以下、比較元情報）を、設定情報の共有化指示に含めるものとする。
【０１６６】
設定情報の共有化指示を受信したサーバ装置１４０では、当該指示に含まれる出力先情報により特定される画像形成装置（"画像形成装置Ｄ"）を特定する。更に、当該指示に含まれる比較元情報により特定される画像形成装置（"画像形成装置Ｃ"）を特定する。
【０１６７】
そして、特定した比較先の画像形成装置（"画像形成装置Ｄ"）の性能情報と、比較元の画像形成装置（"画像形成装置Ｃ"）の性能情報とを性能情報１９１０より読み出して比較する。比較の結果、設定情報の変更が必要であると判定した場合には、設定情報の共有化指示に含まれる設定情報（"設定ファイルＣ"）を変更する。一方、設定情報の変更が必要でないと判定した場合には、設定情報（"設定ファイルＣ"）についての変更処理は行わない。
【０１６８】
設定情報の変更処理が完了すると、サーバ装置１４０では、設定情報の共有化指示に含まれる送信先情報に基づいて特定される携帯端末１２０に対して、設定情報を送信する。
【０１６９】
＜サーバ装置のハードウェア構成＞
次に、本実施形態に係る画像形成システム１９００におけるサーバ装置１４０のハードウェア構成について説明する。図２０は、本実施形態に係る画像形成システム１９００におけるサーバ装置１４０のハードウェア構成を示す図である。
【０１７０】
なお、図２０に示すサーバ装置１４０のハードウェア構成は、上記第１の実施形態において図８を用いて説明したサーバ装置１４０の構成と同様であるため、ここでは、図８との相違点について説明する。
【０１７１】
図２０において、性能情報格納部２０１１は、画像形成システム１９００に含まれるすべての画像形成装置（"画像形成装置Ａ"〜"画像形成装置Ｄ"）の性能情報を格納する。性能情報１９１０は、性能情報格納部２０１１により格納された各画像形成装置の性能情報である。
【０１７２】
アクセス部２０１２は、設定情報の共有化指示に含まれる送信先情報に基づいて携帯端末にアクセスする。
【０１７３】
設定情報変更部２０１３は、性能情報１９１０に基づいて、各画像形成装置の性能情報を比較することで、設定情報の変更要否を判定する。また、判定の結果、設定情報の変更が必要であった場合には、設定情報の変更処理を行う。
【０１７４】
出力部２０１４は、設定情報の変更処理が完了した場合に、送信先情報に基づいてアクセス部２０１２によりアクセスされた携帯端末１２０に対して、該変更した設定情報を出力する。
【０１７５】
＜画像形成システムにおける設定情報の共有化処理の流れ＞
図２１は、本実施形態に係る画像形成システム１９００における設定情報の共有化処理の流れを示すシーケンス図である。なお、図２１に示すシーケンス図は、図９を用いて説明した、第１の実施形態に係る画像形成システム１００における設定情報の共有化処理と同様である。ここでは、図９に示すシーケンス図との相違点を中心に説明する。
【０１７６】
図２１において、ステップＳ２１０１では、携帯端末１１０が、設定情報の共有化指示をサーバ装置１４０に送信する。なお、設定情報の共有化指示には、出力先情報と、送信先情報と、比較元情報と、設定情報とが含まれる。
【０１７７】
設定情報の共有化指示を受信したサーバ装置１４０では、当該指示に含まれる出力先情報により特定される画像形成装置の性能情報と、当該指示に含まれる比較元情報により特定される画像形成装置の性能情報とを比較する（ステップＳ２１０２）。
【０１７８】
比較の結果、設定情報の変更が必要と判定された場合には、設定情報の共有化指示に含まれる設定情報を変更する（ステップＳ２１０３）。なお、比較の結果、設定情報の変更が必要でないと判定された場合には、設定情報の変更処理は行わない。
【０１７９】
設定情報の変更処理が完了すると、サーバ装置１４０では、設定情報の共有化指示に含まれる送信先情報に基づいて特定される携帯端末に、設定情報を送信する。
【０１８０】
このように、サーバ装置１４０において、性能情報を一括管理する構成とすることで、性能情報の提供要求等を画像形成装置間において通信する必要がなくなる。
【０１８１】
［第７の実施形態］
上記第１乃至第６の実施形態では、サーバ装置１４０が、携帯端末の位置情報に基づいて、携帯端末の周辺に設置されているＲＦＩＤリーダを特定する構成としたが、本発明はこれに限定されない。携帯端末の位置情報に基づいて、携帯端末に最も近い画像形成装置を特定する方法であれば、他の方法であってもよい。
【０１８２】
また、上記第１乃至第６の実施形態では、画像形成装置１２１が有する各種機能のうち、プリント機能を実行させる場合について説明したが、本発明はこれに限定されない。画像形成装置１２１が有する他の機能（ジョブ）を実行させるために、上記設定情報の共有化処理を行うように構成してもよい。
【０１８３】
また、上記第６の実施形態では、設定情報の共有化要求及び設定情報の共有化指示に、送信先情報を含める構成としたが、本発明はこれに限定されない。上記第３の実施形態と同様に、送信先情報を含めない構成としてもよい。
【０１８４】
また、上記第６の実施形態では、設定情報をサーバ装置１４０から、携帯端末１２０に直接送信する構成としたが、本発明はこれに限定されない。例えば、上記第４の実施形態と同様に、携帯端末１１０を経由して、携帯端末１２０に送信するように構成してもよい。
【０１８５】
［第８の実施形態］
第８の実施形態に係る画像形成システムにおける設定情報の共有化処理について説明する。
【０１８６】
図２２は、第８の実施形態に係る画像形成システム２２００を示す図である。図２２に示すように、画像形成システム２２００は、第１ネットワークと第２ネットワークとを有する。第１ネットワークには、携帯端末１２０及び携帯端末１１０Ａ〜１１０Ｄ、サーバ装置１４０、画像形成装置２２２１（"画像形成装置Ｂ"）、画像形成装置２２２２（"画像形成装置Ａ"）、画像形成装置１２１（"画像形成装置Ｄ"）が接続されている。また、第２ネットワークには、サーバ装置１４０を介して画像形成装置２２１１（"画像形成装置Ｃ"）が接続されている。なお、携帯端末１２０には設定情報が記憶されておらず、携帯端末１１０Ａ〜１１０Ｄには画像形成装置Ａ〜Ｄそれぞれの設定ファイルＡ〜Ｄが記憶されている。
【０１８７】
画像形成システム２２００において、上述の実施形態同様、携帯端末１２０が一番近い画像形成装置Ｄに印刷を実行させるときの、設定情報の共有化処理を図２３を用いて説明する。図２３は、画像形成システム２２００における設定情報の共有化処理の流れを示すシーケンス図である。
【０１８８】
ステップＳ２３０１において、ユーザは携帯端末１２０のアプリケーションのうち、画像形成装置Ｄへ印刷させるためのアプリケーション（図２４（ａ）の"アプリＡ"）を選択する。ステップＳ２３０２において、携帯端末１２０は"アプリＡ"のアプリケーションを起動し、ステップＳ２３０３において、携帯端末１２０の位置情報を検出する。ステップＳ２３０４において、携帯端末１２０は、検出した位置情報をサーバ装置１４０へ送信する。このとき、携帯端末１２０は、図２４（ｂ）のような表示画面を表示するようにしてもよい。
【０１８９】
ステップＳ２３０５において、サーバ装置１４０は、携帯端末１２０から送信された位置情報を用いて、携帯端末１２０の近隣の画像形成装置を検索する。ステップＳ２３０６において、サーバ装置１４０は、送信された位置情報によって検索された画像形成装置（本実施形態では画像形成装置Ｄ）に対して型番情報取得要求を送信する。ステップＳ２３０７において、サーバ装置１４０は、画像形成装置Ｄから送信される型番情報を受信する。なお、型番情報は画像形成装置を識別することができる情報の一例であり、必ずしも型番情報である必要はなく、機種情報・識別情報・製造番号・ネットワークアドレス等、種々の情報であってもよい。ステップＳ２３０８において、サーバ装置１４０は、画像形成装置Ｄから送信された型番情報を、携帯端末１２０へ送信する。なお、このときサーバ装置１４０が携帯端末１２０を特定できるように、ステップＳ２３０４では、携帯端末１２０が位置情報とともに携帯端末１２０の識別情報（ネットワーク上のアドレス等）をサーバ装置１２０に送信しているものとする。また、携帯端末１２０は、ステップＳ２３０８において型番情報を受信したとき、検索された画像形成装置Ｄの情報を例えば図２４（ｃ）のように表示画面に表示してもよい。
【０１９０】
ステップＳ２３０９において、携帯端末１２０は、第１ネットワークでアクセス可能な携帯端末１１０Ａ〜１１０Ｄに対して、設定ファイル（設定情報）の取得要求を送信する。ステップＳ２３１０において、携帯端末１２０は、携帯端末１１０Ａ〜１１０Ｄから設定ファイル（設定情報）を受信する。なお、ステップＳ２３０９〜ステップＳ２３１０は、検索された型番情報を携帯端末１２０が受信した後に実行してもよいし、ステップＳ２３０２において、"アプリＡ"のアプリケーションが起動した時に実行してもよい。あるいはステップＳ２３０４において携帯端末１２０が位置情報を送信した後であって、サーバ装置１４０が近隣の画像形成装置を検索している間に実行してもよい。
【０１９１】
ステップＳ２３１１において、携帯端末１２０は、ステップＳ２３１０において携帯端末１１０Ａ〜１１０Ｄから受信した設定ファイルを、例えば図２４（ｅ）に示す表示画面に表示する。なお、図２４（ｅ）のように設定ファイルを表示する前に、例えば図２４（ｄ）のように設定方法を選択する表示画面を表示し、"設定を検索"ボタンが選択された場合に、図２４（ｅ）に示す表示画面を表示するようにしてもよい。
【０１９２】
携帯端末１２０は、ステップＳ２３１２において、ユーザから設定ファイルの選択を受け付けると、ステップＳ２３１３において、選択された設定ファイルを保持する携帯端末に対して、設定ファイル（設定情報）の共有化要求を送信する。なお、本実施形態では、携帯端末１２０は、ユーザから携帯端末１１０Ａに記憶された設定ファイルＡの選択を受け付けたとする。このため、ステップＳ２３１２において、携帯端末１２０には、図２４（ｆ）に示す表示画面が表示され、ユーザがＯＫボタンをタップすると、携帯端末１１０Ａに対して、設定ファイル（設定情報）の共有化要求が送信される。
【０１９３】
ステップＳ２３１４において、携帯端末１１０Ａは共有化要求を受け付け、設定ファイルの送信先を判断する。ここで、図２５を用いて設定ファイルの送信先の決定方法を説明する。図２５は、設定ファイルの送信先決定処理の流れを示すフローチャートである。
【０１９４】
ステップＳ２５０１において、携帯端末１１０Ａは、携帯端末１２０から送信された出力先情報により特定される画像形成装置と、共有化をする設定ファイルＡの適用先の画像形成装置とが同一であるかを判断する。ステップＳ２５０１において同一であると判断された場合、ステップＳ２５０２に進む。
【０１９５】
ステップＳ２５０２において、携帯端末１１０Ａは、携帯端末１１０Ａと出力先の画像形成装置（つまり設定ファイルの適用先の画像形成装置）が同一のネットワークに存在するかを判断する。ステップＳ２５０２において、同一ネットワークに存在すると判断された場合、ステップＳ２５０３に進む。ステップＳ２５０３において、携帯端末１１０Ａは、設定ファイルを出力先の画像形成装置（つまり設定ファイルの適用先の画像形成装置）に送信する。一方、ステップＳ２５０３において、同一ネットワークに存在しないと判断された場合、ステップＳ２５０４に進み、設定ファイルをサーバ装置１４０に送信する。そしてサーバ装置１４０から出力先の画像形成装置または携帯端末１２０へ送信させる。
【０１９６】
一方、ステップＳ２５０１において、携帯端末１２０から送信された出力先情報により特定される画像形成装置と、共有化をする設定ファイルＡの適用先の画像形成装置とが同一でないと判断された場合、ステップＳ２５０５に進む。ステップＳ２５０５において、携帯端末１１０Ａは、携帯端末１１０Ａと設定ファイルＡの適用先の画像形成装置とが同一のネットワークに存在するかを判断する。ステップＳ２５０５において、同一ネットワークに存在しないと判断された場合には、ステップＳ２５０６に進み、設定ファイルをサーバ装置１４０に送信する。そしてサーバ装置１４０から出力先の画像形成装置または携帯端末１２０へ送信させる。
【０１９７】
一方、ステップＳ２５０５において、同一ネットワークに存在すると判断された場合には、ステップＳ２５０７に進み、設定ファイルＡの適用先の画像形成装置が設定情報を変更する能力（機能）を有しているかを判断する。設定情報を変更する能力（機能）を有しているか否かは、例えば、携帯端末１１０Ａから適用先の画像形成装置に対して、設定情報変更可否の問合せを行い、問合せ結果に応じて判断してもよい。
【０１９８】
ステップＳ２５０７において、変更する能力（機能）を有していると判断された場合には、ステップＳ２５０８に進み、適用先の画像形成装置に設定ファイルＡを送信する。一方、ステップＳ２５０７において、変更する能力（機能）有していないと判断された場合には、ステップＳ２５０９に進み、サーバ装置１４０に設定ファイルを送信する。
【０１９９】
図２３に戻り、共有化処理の説明を行う。今回、携帯端末１１０Ａの設定ファイルＡの適用先の画像形成装置は画像形成装置Ａである。ここで、各画像形成装置における設定情報の変更可否が図２６に示す通りであった場合、図２５に示す送信先決定処理が実行されると、適用先の画像形成装置Ａに設定ファイルＡを送信すると判断される。以降の共有化処理は図９のステップＳ９０７〜ステップＳ９１８の処理と同様であるため、ここでは詳細な説明は省略する。なお、図９の画像形成装置Ｃが本実施形態の画像形成装置Ａに対応する。
【０２００】
また、図２５に示す送信先決定処理において、他の送信先に決定される例を説明する。図２３において、携帯端末１１０Ｂの設定ファイルＢが選択された場合、携帯端末１１０Ｂは、図２５のステップＳ２５０９において、サーバ装置１４０に設定ファイルＢを送信すると決定する。そして以降は図２１のステップＳ２１０１〜ステップＳ９１８の処理が実行される。なお、図２１の画像形成装置Ｃが本実施形態の画像形成装置Ｂに対応する。
【０２０１】
また、図２３において、携帯端末１１０Ｃの設定ファイルＣが選択されたとき、携帯端末１１０Ｃは、図２５のステップＳ２５０６において、サーバ装置１４０に設定ファイルＣを送信すると決定する。そして以降は図２１のステップＳ２１０１〜ステップＳ９１８の処理が実行される。なお、図２１の画像形成装置Ｃが本実施形態の画像形成装置Ｃに対応する。
【０２０２】
また、図２３において、携帯端末１１０Ｄの設定ファイルＤが選択されたとき、携帯端末１１０Ｄは、図２５のステップＳ２５０３において、画像形成装置Ｄに設定ファイルを送信すると決定する。そして以降は図１８のステップＳ９０７〜ステップＳ９１８の処理が実行される。
【０２０３】
なお、設定情報を変更する能力を有している画像形成装置に対して印刷データが送信される場合には、設定情報が変更される旨のメッセージと、変更前後の設定情報が表示される（図２７参照）。
【０２０４】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２０５】
１００            ：画像形成システム
１１０            ：携帯端末
１１１            ：画像形成装置
１１２            ：ＲＦＩＤリーダ
１２０            ：携帯端末
１２１            ：画像形成装置
１２２            ：ＲＦＩＤリーダ
１３０            ：アクセスポイント
１４０            ：サーバ装置
１５０            ：ネットワーク
２００            ：レイアウトデータ
３１１、３２１    ：設定情報データ
３１２、３２２    ：出力先情報データ
７０１、７０２    ：性能情報
７１０、７１１    ：設定情報
１２００          ：画像形成システム
１５００          ：画像形成システム
１７００          ：画像形成システム
１９００          ：画像形成システム
１９１０          ：性能情報
２２００          ：画像形成システム
【先行技術文献】
【特許文献】
【０２０６】
【特許文献１】特開２０１０−００３１２８号公報
【図１】
2015109073.tif 000003
【図２】
2015109073.tif 000004
【図３】
2015109073.tif 000005
【図４】
2015109073.tif 000006
【図５】
2015109073.tif 000007
【図６】
2015109073.tif 000008
【図７】
2015109073.tif 000009
【図８】
2015109073.tif 000010
【図９】
2015109073.tif 000011
【図１０】
2015109073.tif 000012
【図１１】
2015109073.tif 000013
【図１２】
2015109073.tif 000014
【図１３】
2015109073.tif 000015
【図１４】
2015109073.tif 000016
【図１５】
2015109073.tif 000017
【図１６】
2015109073.tif 000018
【図１７】
2015109073.tif 000019
【図１８】
2015109073.tif 000020
【図１９】
2015109073.tif 000021
【図２０】
2015109073.tif 000022
【図２１】
2015109073.tif 000023
【図２２】
2015109073.tif 000024
【図２３】
2015109073.tif 000025
【図２４】
2015109073.tif 000026
【図２５】
2015109073.tif 000027
【図２６】
2015109073.tif 000028
【図２７】
2015109073.tif 000029